(57)【特許請求の範囲】
【請求項１】
ジェットポンプ作用により供給される洗浄水によって便器を洗浄して汚物を排出する水洗大便器装置であって、
汚物を受けるボウル部と、このボウル部に洗浄水を導くための導水路と、を備えた便器本体と、
この便器本体のボウル部よりも後方側の所定の設置位置に組み付けられて、給水源から供給される洗浄水の一部が貯留されると共に上記便器本体の導水路に洗浄水を供給するタンクであって、その内部に少なくとも一部が水没した状態で配置されるジェットポンプユニットを備え、このジェットポンプユニットが、上記給水源から供給される洗浄水を噴射するジェットノズルと、一端に吸引口が形成されると共に他端に上記便器本体の導水路に向けて洗浄水を流出させる流出口が形成されるスロート管と、を備え、上記ジェットノズルが上記スロート管の吸引口から内部に向けて洗浄水をジェット噴射することにより、上記スロート管内を流れる洗浄水の流量を上記ジェットノズルから噴射された洗浄水の流量よりも増大させるジェットポンプ作用を誘発させて、増大した流量の洗浄水を上記スロート管から上記便器本体の導水路に向けて供給するものである上記タンクと、
上記便器本体の導水路の後方側に設けられて、一端が上記導水路と一体又は別体に設けられる便器本体側接続管路を形成する便器本体側接続部と、
一端が上記便器本体側接続部の他端に水密に接続されて、その内部に上記便器本体側接続管路と連通可能な接続管路を形成する接続部材と、
上記タンクの一部に設けられて、その一端が上記接続部材の他端に水密に接続されて、その内部に上記接続部材の上記接続管路と連通可能なタンク側接続管路を形成する筒状のタンク側接続部と、を有し、
上記便器本体側接続部、上記接続部材、及び上記タンク側接続部のそれぞれは、上記タンクが上記所定の設置位置に組み付けられる前の状態で作業者のアクセスが可能なものであり、予め上記接続部材の一端が上記便器本体側接続部の他端に水密に接続可能なものであると共に、予め上記接続部材の他端が上記タンク側接続部の一端に水密に接続可能なものであり、上記便器本体側接続部及び上記タンク側接続部が互いに上記接続部材を介して水密に接続された後に、上記タンクを上記所定の設置位置に組み付け可能にするものであり、かつ、
上記タンクが上記所定の設置位置に組み付けられた状態では、上記便器本体側接続部と上記接続部材との接続部、及び上記接続部材と上記タンク側接続部との接続部のそれぞれは、水密性が維持されていると共に、それぞれの周囲が作業者の直接的なアクセスが不能に上記便器本体及び上記タンクによって覆われていることを特徴とする水洗大便器装置。
【請求項２】
上記接続部材は、上記タンクが上記所定の設置位置に組み付けられる前の状態で上記接続管路の長さが第１の所定長さよりも長い第２の所定長さで上記便器本体側接続部と上記タンク側接続部とが水密に接続された後、上記タンクが上記所定の設置位置に組み付けられた状態で上記接続管路の長さが上記第１の所定長さで上記便器本体側接続部と上記タンク側接続部とが水密に接続されることにより上記接続管路を伸縮可能にするものである請求項１記載の水洗大便器装置。
【請求項３】
さらに、上記タンクが上記所定の設置位置に組み付けられた状態で上記接続管路の長さが上記第１の所定長さで上記便器本体側接続部と上記タンク側接続部とが水密に接続可能に上記接続部材を所定の形状にガイドするためのガイド部を有する請求項２記載の水洗大便器装置。
【請求項４】
上記接続部材は、弾性部材からなり、上記水洗大便器装置は、さらに、上記所定の設置位置に組み付けられた状態の上記タンクの姿勢が水平状態に維持されるように上記タンクを上記便器本体に対して固定可能にする固定部を有する請求項３記載の水洗大便器装置。
【発明の詳細な説明】
【技術分野】
【０００１】
本発明は、水洗大便器装置に係り、特に、ジェットポンプ作用により供給される洗浄水によって便器を洗浄して汚物を排出する水洗大便器装置に関する。
【背景技術】
【０００２】
従来から、ジェットポンプ作用により供給される洗浄水によって便器を洗浄して汚物を排出する水洗大便器装置として、例えば、特許文献１に記載されているように、給水源から供給される洗浄水の一部が貯留されると共に便器本体に洗浄水を供給するタンクが便器本体の上面に設置されているものが知られている。
このような従来の水洗大便器装置においては、ジェットポンプ作用を誘発させるジェットポンプユニットとその他の複数の関連部品がタンク内に内装されているため、タンク単体でジェットポンプ性能を確保するために、タンクと便器本体との接続がタンクの外部で行われることが望ましい。 
【先行技術文献】
【特許文献】
【０００３】
【特許文献１】特開２０１４−１９００６５号公報
【発明の概要】
【発明が解決しようとする課題】
【０００４】
しかしながら、近年、水洗大便器装置のデザインの多様化と節水化により、タンクが便器本体の後方側の比較的低い位置に配置されることにより、タンクの上端の高さ位置を低い位置に設定し、水洗大便器装置全体の高さを抑えた、いわゆる、「ローシルエットタイプ」のタンクが採用されているが、このようなローシルエットタイプのタンクについて、前後方向（奥行方向）の幅や左右方向（横方向）の幅もコンパクトなタンクにしようとすると、デッドスペースを少なくするために、タンクと便器本体との接続部の周囲を取り囲むような設計も避けられない。
また、このようにタンクと便器本体との接続部の周囲を取り囲むようなタンクと便器本体の設計では、作業者がタンクを便器本体に組み付けた際に、タンクと便器本体との接続部に手が直接届かなくなり、作業者の直接的なアクセスよる施工が困難となるため、何らかの手段や方法でタンクと便器本体とを水密に接続する操作を間接的に行わなければならならず、水密性の確保も難しくなるという問題がある。
さらに、タンクと便器本体との接続部にタンクの内部からアクセスする方法も考えられるが、タンク内は、ジェットポンプユニット以外にも多数の関連部品によってスペースが占有されているため、タンクを小型化する程、タンク内部の空間スペースも少なく、作業者の直接的なアクセスが困難となるため、タンク内の接続部の付近で水密性を確保するための接続操作を直接的に行うのは困難であるという問題がある。
【０００５】
そこで、本発明は、上述した従来技術の問題を解決するためになされたものであり、タンクを便器本体に簡単水密に接続することができる水洗大便器装置を提供することを目的としている。
【課題を解決するための手段】
【０００６】
上記の目的を達成するために、本発明は、ジェットポンプ作用により供給される洗浄水によって便器を洗浄して汚物を排出する水洗大便器装置であって、汚物を受けるボウル部と、このボウル部に洗浄水を導くための導水路と、を備えた便器本体と、この便器本体のボウル部よりも後方側の所定の設置位置に組み付けられて、給水源から供給される洗浄水の一部が貯留されると共に上記便器本体の導水路に洗浄水を供給するタンクであって、その内部に少なくとも一部が水没した状態で配置されるジェットポンプユニットを備え、このジェットポンプユニットが、上記給水源から供給される洗浄水を噴射するジェットノズルと、一端に吸引口が形成されると共に他端に上記便器本体の導水路に向けて洗浄水を流出させる流出口が形成されるスロート管と、を備え、上記ジェットノズルが上記スロート管の吸引口から内部に向けて洗浄水をジェット噴射することにより、上記スロート管内を流れる洗浄水の流量を上記ジェットノズルから噴射された洗浄水の流量よりも増大させるジェットポンプ作用を誘発させて、増大した流量の洗浄水を上記スロート管から上記便器本体の導水路に向けて供給するものである上記タンクと、上記便器本体の導水路の後方側に設けられて、一端が上記導水路と一体又は別体に設けられる便器本体側接続管路を形成する便器本体側接続部と、一端が上記便器本体側接続部の他端に水密に接続されて、その内部に上記便器本体側接続管路と連通可能な接続管路を形成する接続部材と、上記タンクの一部に設けられて、その一端が上記接続部材の他端に水密に接続されて、その内部に上記接続部材の上記接続管路と連通可能なタンク側接続管路を形成する筒状のタンク側接続部と、を有し、上記便器本体側接続部、上記接続部材、及び上記タンク側接続部のそれぞれは、上記タンクが上記所定の設置位置に組み付けられる前の状態で作業者のアクセスが可能なものであり、予め上記接続部材の一端が上記便器本体側接続部の他端に水密に接続可能なものであると共に、予め上記接続部材の他端が上記タンク側接続部の一端に水密に接続可能なものであり、上記便器本体側接続部及び上記タンク側接続部が互いに上記接続部材を介して水密に接続された後に、上記タンクを上記所定の設置位置に組み付け可能にするものであり、かつ、上記タンクが上記所定の設置位置に組み付けられた状態では、上記便器本体側接続部と上記接続部材との接続部、及び上記接続部材と上記タンク側接続部との接続部のそれぞれは、水密性が維持されていると共に、それぞれの周囲が作業者の直接的なアクセスが不能に上記便器本体及び上記タンクによって覆われていることを特徴としている。
このように構成された本発明においては、タンクが便器本体のボウル部よりも後方側の所定の設置位置に組み付けられた状態では、便器本体側接続部と接続部材との接続部、及び接続部材とタンク側接続部との接続部のそれぞれの周囲が便器本体及びタンクによって覆われることにより作業者の直接的なアクセスが不能であっても、作業者は、タンクを便器本体のボウル部よりも後方側の所定の設置位置に組み付ける前に、予め接続部材の一端を便器本体側接続部の他端に対して簡単に水密に接続することができると共に、予め接続部材の他端をタンク側接続部の一端に対して簡単に水密に接続することができるため、その後、便器本体側接続部と接続部材との接続部、及び接続部材とタンク側接続部との接続部のそれぞれについて水密性を維持しながら、タンクを便器本体の導水路の後方側の所定の設置位置に簡単に組み付けることができる。したがって、タンクを便器本体に簡単に水密に接続することができる。
【０００７】
本発明において、好ましくは、上記接続部材は、上記タンクが上記所定の設置位置に組み付けられる前の状態で上記接続管路の長さが第１の所定長さよりも長い第２の所定長さで上記便器本体側接続部と上記タンク側接続部とが水密に接続された後、上記タンクが上記所定の設置位置に組み付けられた状態で上記接続管路の長さが上記第１の所定長さで上記便器本体側接続部と上記タンク側接続部とが水密に接続されることにより上記接続管路を伸縮可能にするものである。
このように構成された本発明においては、接続部材について、タンクが所定の設置位置に組み付けられる前の状態で接続部材の接続管路の長さが第１の所定長さよりも長い第２の所定長さで便器本体側接続部とタンク側接続部とが水密に接続された後、タンクが所定の設置位置に組み付けられた状態で接続管路の長さが第１の所定長さで便器本体側接続部とタンク側接続部とが水密に接続されることにより接続部材の接続管路を伸縮可能にするものであるため、特に、タンクが所定の設置位置に組み付けられた状態では、接続部材とその接続管路の長さを第１の所定長さに設定することができる。よって、タンクの下流側の最短長さの接続管路内を流れる洗浄水の圧力損失を小さくすることができる。
したがって、タンク内のジェットポンプユニットのジェットポンプ作用によるタンク内の洗浄水の吸引量の低下を抑制することができるため、ジェットポンプ性能の低下を抑制することができる。
【０００８】
本発明において、好ましくは、さらに、上記タンクが上記所定の設置位置に組み付けられた状態で上記接続管路の長さが上記第１の所定長さで上記便器本体側接続部と上記タンク側接続部とが水密に接続可能に上記接続部材を所定の形状にガイドするためのガイド部を有する。
このように構成された本発明においては、タンクが所定の設置位置に組み付けられた状態で接続部材の接続管路の長さが第１の所定長さで便器本体側接続部とタンク側接続部とが水密に接続可能に接続部材を所定の形状にガイドするためのガイド部を有することにより、タンクが所定の設置位置に組み付けられる前の状態で、接続部材により予め便器本体側接続部とタンク側接続部とを簡単かつ確実に水密に接続することができると共に、その後、タンクが所定の設置位置に組み付けられた状態では、ガイド部が接続部材を所定の形状にガイドすることによって接続部材の接続管路の長さを第１の所定長さに確実に設定することができる。
したがって、タンクの下流側の第１の所定長さの接続管路内を流れる洗浄水の圧力損失を小さくすることができ、タンク内のジェットポンプユニットのジェットポンプ作用によるタンク内の洗浄水の吸引量の低下を抑制することができるため、ジェットポンプ性能の低下を抑制することができる。
【０００９】
本発明において、好ましくは、上記接続部材は、弾性部材からなり、上記水洗大便器装置は、さらに、上記所定の設置位置に組み付けられた状態の上記タンクの姿勢が水平状態に維持されるように上記タンクを上記便器本体に対して固定可能にする固定部を有する。
このように構成された本発明においては、接続部材が弾性部材からなり、水洗大便器装置が、さらに、所定の設置位置に組み付けられた状態のタンクの姿勢が水平状態に維持されるようにタンクを便器本体に対して固定可能にする固定部を有することにより、タンクの姿勢が水平状態に維持された状態でタンクを便器本体に対して安定して固定することができる。
したがって、例えば、タンクやタンク側接続部に接続部材による反力が作用してタンクが傾くと共にタンク内の水位が傾くことによって、タンク内のジェットポンプユニットのジェットポンプ作用によるタンク内の洗浄水の吸引量が低下してしまうことを抑制することができるため、ジェットポンプ性能の低下を抑制することができる。
【発明の効果】
【００１０】
本発明の水洗大便器装置によれば、タンクを便器本体に簡単に水密に接続することができる。
【図面の簡単な説明】
【００１１】
【図１】本発明の一実施形態による水洗大便器装置の概略斜視図である。
【図２】本発明の一実施形態による水洗大便器装置の分解斜視図である。
【図３】図１のＩＩＩ−ＩＩＩ線に沿って見た中央側面断面図である。
【図４】図１のＩＶ−ＩＶ線に沿って見た正面断面図である。
【図５】本発明の一実施形態による水洗大便器装置における洗浄水タンク装置の内部構造を示す平面図である。
【図６】本発明の一実施形態による水洗大便器装置の洗浄水タンク装置の基本構成を示すブロック図である。
【図７】本発明の一実施形態による水洗大便器装置の洗浄水タンク装置の貯水タンクの斜め前方から見た斜視図である。
【図８】図３のＡ部拡大図である。
【図９】本発明の一実施形態による水洗大便器装置において洗浄水タンク装置を便器本体の後方側の所定の設置位置に上方側から組み付けられる前の状態を示す概略中央側面断面図である。
【図１０】本発明の一実施形態による水洗大便器装置の背面図である。
【図１１】図１０に示す本発明の一実施形態による水洗大便器装置における洗浄水タンク装置の貯水タンクを便器本体に固定する固定装置を拡大した概略斜視図である。
【図１２】本発明の一実施形態による水洗大便器装置における洗浄水タンク装置の貯水タンクを便器本体に固定する固定装置の概略図である。
【図１３】本発明の一実施形態による水洗大便器装置における便器本体と貯水タンクとの接続状態を確認するときの状態を示す斜視図である。
【図１４Ａ】本発明の一実施形態による水洗大便器装置において洗浄水タンク装置の貯水タンクが便器本体の後方側の所定の設置位置に組み付けられていない施工開始前状態から、便器本体の導水路の流入口にスパットが水密に接続された第１の施工状態を示す概略断面図である。
【図１４Ｂ】図１４Ａに示す第１の施工状態の後、本発明の一実施形態による水洗大便器装置の洗浄水タンク装置の貯水タンクが便器本体の後方側の所定の設置位置に組み付けられる前に、スパッドに伸縮可能な接続管部材の一端が水密に接続された第２の施工状態を示す概略断面図である。
【図１４Ｃ】図１４Ｂに示す第２の施工状態の後、本発明の一実施形態による水洗大便器装置の洗浄水タンク装置の貯水タンクが便器本体の後方側の所定の設置位置に組み付けられる前に、洗浄水タンク装置の貯水タンクのタンク側接続部に接続管部材の他端が水密に接続された第３の施工状態を示す概略断面図である。
【図１４Ｄ】図１４Ｃに示す第３の施工状態の後、本発明の一実施形態による水洗大便器装置の洗浄水タンク装置の貯水タンクが便器本体の後方側の所定の設置位置に上方側から組み付けられた第４の施工状態を示す概略断面図である。
【発明を実施するための形態】
【００１２】
以下、添付図面を参照して、本発明の一実施形態による水洗大便器装置について説明する。
まず、図１〜図６により、本発明の一実施形態による水洗大便器装置の基本構造について説明する。
図１は、本発明の一実施形態による水洗大便器装置の概略斜視図であり、図２は、本発明の一実施形態による水洗大便器装置の分解斜視図であり、図３は、図１のＩＩＩ−ＩＩＩ線に沿って見た中央側面断面図である。
【００１３】
まず、図１〜図３に示すように、本発明の一実施形態による水洗大便器装置１は、陶器製の便器本体２と、この便器本体２の後方側の所定の設置位置に設置されて且つ便器本体２に洗浄水を供給する洗浄水タンク装置４を備えている。この水洗大便器装置１は、例えば、６．０リットル以下の洗浄水、好ましくは、３．０リットル〜４．８リットルの洗浄水で洗浄する、いわゆる、節水型の洗い落とし式の水洗大便器である。
つぎに、図３に示すように、便器本体２は、その前方側に設けられて汚物を受けるボウル部６と、このボウル部６の上縁に形成されたリム部８とを備えている。
また、便器本体２のボウル部６の底部には、排水トラップ管路１０の入口１０ａが開口し、この排水トラップ管路１０は、その入口１０ａから斜め下方且つ後方側に延びた後、斜め上方且つ後方側の頂部まで延びて、その後、下方に延びて、床面に設置された排水ソケット（図示せず）に接続されている。
また、図３に示すように、便器本体２のボウル部６の後方側から側方のリム部８内には、洗浄水タンク装置４から供給された洗浄水をボウル部６に導くための導水路１４が形成されていると共に、この導水路１４内の洗浄水が吐出される吐水口１６がリム部６の一部に形成されている。
なお、本実施形態による水洗大便器装置１においては、高さ方向の落差により汚物を排出する洗い落とし式便器の形態について説明するが、サイホン作用を利用してボウル部６内の汚物を吸い込んで排水トラップ管路１０から一気に外部に排出する、いわゆる、サイホン式便器であってもよいし、これら以外の形態の便器でも適用可能である。
また、本実施形態による水洗大便器装置１においては、排水トラップ管路１０から排水された排水を床下の排水管路（図示せず）に排出させるが排水ソケット（図示せず）を採用した形態であってもよいし、排水トラップ管路１０から排水された排水を水洗大便器装置１の後方の壁裏側の排水管路（図示せず）に排出させる排水ソケット（図示せず）を採用した形態であってもよい。
【００１４】
つぎに、図１〜図９を参照して、洗浄水タンク装置４について詳細に説明する。
図４は、図１のＩＶ−ＩＶ線に沿って見た正面断面図であり、図５は、本発明の一実施形態による水洗大便器装置における洗浄水タンク装置の内部構造を示す平面図であり、図６は、本発明の一実施形態による水洗大便器装置の洗浄水タンク装置の基本構成を示すブロック図である。
なお、図４及び図５に示す洗浄水タンク装置４の左右方向については、便器本体２の前方側から見て左右方向の左側を「左側」、便器本体２の前方側から見て左右方向の右側を「右側」とそれぞれ定義する。
【００１５】
図２〜図６に示すように、洗浄水タンク装置４は、その上流側が水道等の給水源（図示せず）に接続された給水管１８と、便器本体２のボウル部６よりも後方側の所定の設置スペースＳ１に上方側から組み付けられて、給水源（図示せず）から給水管１８を経て供給された洗浄水の一部が貯留されると共に便器本体２の導水路１４に洗浄水を供給するタンクである貯水タンク２０とを備えている。
なお、本実施形態では、貯水タンク２０が便器本体２のボウル部６よりも後方側の所定の設置スペースＳ１に上方側から組み付けられる形態について説明するが、このような形態に限られず、貯水タンク２０が便器本体２のボウル部６よりも後方側の所定の設置スペースＳ１に側方（横方向）から組み付けられるような形態であってもよい。
また、この貯水タンク２０は、図５に示すように、平面視において左右方向に長い扁平形状に形成されており、図３に示すように、便器本体２の後方側の比較的低い位置に配置されて、貯水タンク２０の上端高さ位置が低い、いわゆる、ローシルエットタイプの貯水タンクである。
さらに、本実施形態の水洗大便器装置１においては、便器本体２の最も後端に対して、トイレ室の壁（図示せず）等が隣接して設けられているため、便器本体２の導水路１４の後方側の所定の設置スペースＳ１（図２参照）内に貯水タンク２０を組み付ける際には、この設置スペースＳ１の開放された上方側から貯水タンク２０を挿入して組み付けなければならないようになっている。
【００１６】
つぎに、図３〜図６に示すように、貯水タンク２０の内部には、給水管１８から定流量弁２２を介して供給された洗浄水を給止水する給水弁として、主弁２４を含む給水弁装置２６が内装されており、貯水タンク２０内の給水弁装置２６の下流側には、真空破壊弁２８を介して接続されたジェットポンプユニット３０（詳細は後述する）が内装されている。
また、図４〜図６に示すように、洗浄水タンク装置４は、便器本体２の前方側から見て貯水タンク２０の左側側部に設けられて給水弁装置２６の作動を操作するための操作レバー３２を備えている。
【００１７】
つぎに、図４及び図６に示すように、ジェットポンプユニット３０は、貯水タンク２０の内部において少なくとも一部が水没した状態で配置されており、真空破壊弁２８から延びる給水管３４から供給された洗浄水を噴射するジェットノズル３６を備えている。ここで、真空破壊弁２８は、外部から空気を吸入して真空破壊弁２８からジェットノズル３６までの給水管３４内が負圧にならないようにするためのものである。
また、図４及び図６に示すように、ジェットポンプユニット３０は、ジェットノズル３６の下流側近傍に設けられてジェットノズル３６から噴射された洗浄水の流路を貯水タンク２０内の水位に応じて切り替える流路切替弁３８を備えている。
さらに、図３〜図６に示すように、ジェットポンプユニット３０は、一端に吸引口４０ａが形成される共に他端に洗浄水を流出させる流出口４０ｂが形成されたスロート管４０を備えている。このスロート管４０は、図４に示すように、その吸引口４０ａから流出口４０ｂまで延びた管形状が、例えば、逆Ｕ字形状（或いは、他の言い方をすれば、逆Ｊ字形状、又はグースネック型形状）に形成されている。
また、ジェットノズル３６は、スロート管４０の吸引口４０ａと対向するように配置されており、これらのスロート管４０の吸引口４０ａとジェットノズル３６は、常時、貯水タンク２０内で水没した状態となっている。
【００１８】
また、図６に示すように、流路切替弁３８は、便器本体２のボウル部６の洗浄時にジェットノズル３６からジェット噴射した洗浄水をスロート管４０の吸引口４０ａからスロート管４０内に流入させて、流出口４０ｂから便器本体２の導水路１４側に流出させる便器洗浄用流路４２と、貯水タンク２０の貯水時にジェットノズル３６からジェット噴射した洗浄水をスロート管４０内に流入させないように、スロート管４０の外部の貯水タンク２０内に差し向けるタンク貯水用流路４４とのいずれかの流路に貯水タンク２０内の水位に応じて切り替え可能となっている。これにより、流路切替弁３８が便器洗浄用流路４２に設定している場合には、ジェットノズル３６がスロート管４０の吸引口４０ａから内部に向けて洗浄水をジェット噴射することにより、スロート管４０内を流れる洗浄水の流量をジェットノズル３６から噴射された洗浄水の流量よりも増大させるジェットポンプ作用を誘発させて、増大した流量の洗浄水がスロート管４０の流出口４０ｂから便器本体２の導水路１４に向けて供給されるようになっている。
すなわち、本明細書中に記載されている「ジェットポンプ作用」という用語については、ジェットノズル３６からスロート管４０の吸引口４０ａに向けて噴射される勢いのある洗浄水の流れ自体が、ポンプ等の他の機械要素に依存することなく、直接的にスロート管４０の吸引口４０ａの近傍等の周囲の洗浄水を引き込むような負圧を形成し、この負圧を利用してスロート管４０内に吸い込んだ貯水タンク２０内の洗浄水を便器本体２側へ搬送する作用を意味している。
【００１９】
なお、図４〜図６に示すように、給水弁装置２６については、その構造や作動機構については従来と同様であるため、具体的な説明については省略するが、主弁２４は、パイロット式のダイアフラム弁であり、駆動軸４６により操作レバー３２に接続されて且つこの操作レバー３２の操作により開閉される第１のパイロット弁（図示せず）の動作によって開閉可能であると共に、貯水タンク２６内の洗浄水の水位に伴い上下動するフロート４８の上下動により開閉される第２のパイロット弁（図示せず）の動作とによって開閉可能となっている。
【００２０】
つぎに、図７は、本発明の一実施形態による水洗大便器装置の洗浄水タンク装置の貯水タンクの斜め前方から見た斜視図であり、図８は、図３のＡ部拡大図である。
図２〜図４、図７及び図８に示すように、便器本体２の導水路１４の後方側の流入口１４ａには、便器本体側接続部であるスパッド５０が水密に接続されており、このスパッド５０には、その後方側から接続部材である伸縮可能な接続管部材５２の一端が挿入されて、バンド５４ａを介して水密に接続されている。
また、図２〜図４及び図８に示すように、接続管部材５２は、スパッド５０に水密に接続された一端部（前端部）から後方側にほぼ水平方向に延びた後、上方側に差し向けられて屈曲可能な接続管路５２ａを形成している。
一方、図２、図４、図７及び図８に示すように、接続管部材５２の他端部（上端部５２ｂ）には、バンド５４ｂが設けられている。バンド５４ｂは、貯水タンク２０に一体に形成されたほぼ円筒状のタンク側接続部５６が上方から接続管路５２ａ内に挿入された状態で、接続管部材５２の上端部５２ｂの外周側から締め付けることにより、接続管部材５２と貯水タンク２０のタンク側接続部５６とを水密に接続している。そして、これにより、タンク側接続部５６の内側に形成されたタンク側接続管路５６ａと接続管部材５２の接続管路５２ａとが互いに連通している。
なお、本実施形態では、便器本体２の導水路１４に対して、便器本体側接続部であるスパッド５０が別体である形態について説明するが、このような形態に限定されず、便器本体側接続部であるスパッド５０の部分が便器本体２の導水路１４に対して同一の陶器製等で一体に形成された形態であってもよい。
また、本実施形態では、ほぼ円筒状のタンク側接続部５６については、貯水タンク２０に一体に形成された形態について説明するが、貯水タンク２０とは別体の筒状の部材であってもよい。
【００２１】
つぎに、図３〜図５、図７及び図８に示すように、貯水タンク２０は、その内部において、その前方側の左右方向の中央部に一体に形成された段部５８を備えており、この段部５８は、貯水タンク２０内の前面（内側前面２０ａ）から後方側に向かってに突出すると共に底面２０ｂから上方に延びて、筒状のタンク側接続部５６の側方及びその後方側の外周部分を取り囲むように形成されている。
また、図３〜図５、図７及び図８に示すように、貯水タンク２０の段部５８は、スロート管４０の流出口４０ｂを形成するスロート管側接続部６０が接続されると共に、タンク側接続管路５６ａと連通する接続口５８ａが形成された上端部５８ｂを備えており、この段部５８の上端部５８ｂは、図４及び図５に示すように、貯水タンク２０内の満水水位ＷＬ０よりも上方に位置している。
さらに、図３〜図５、図７及び図８に示すように、貯水タンク２０が所定の設置位置に組みつけられた状態では、スパッド５０と接続管部材５２との接続部、及び接続管部材５２とタンク側接続部５６との接続部のそれぞれは、水密性が維持されていると共に、これらの部分５０，５２、５６の左右側方及び後方側が段部５８の外側壁部５８ｃ（図７参照）に覆われている。また、これらの部分５０，５２、５６の上方側が段部５８の上側壁部５８ｄ（図７参照）に覆われており、さらに、これらの部分５０，５２、５６の前方側と下方側が便器本体２により覆われているため、これらの部分５０，５２、５６の周囲、すなわち、これらの部分５０，５２、５６の前後方向、上下方向、及び左右方向が作業者の直接的なアクセスが不能に覆われている。
【００２２】
また、図３及び図４に示すように、貯水タンク２０内には、いくつかの段部が形成されているが、特に、段部５８は、貯水タンク２０内に形成れた段部の中でも、貯水タンク２０内の最低水位（デッドウォータラインＤＷＬ）よりも上方に位置する唯一の段部となっている。
【００２３】
つぎに、図５に示すように、貯水タンク２０の段部５８は、貯水タンク２０内の前方側の左右方向の中央部に形成されているため、平面視で貯水タンク２０を左右方向に二等分する中心軸線Ａ１上に位置していると共に、平面視で貯水タンク２０を前後方向に二等分する中心軸線Ａ２よりも前方側に位置している。
一方、図５に示すように、給水弁装置２６及びスロート管４０のそれぞれは、貯水タンク２０内の左右方向の一方側の領域に片寄って配置されている。
より具体的に説明すると、図５に示すように、給水弁装置２６は、貯水タンク２０内において、平面視で貯水タンク２０を左右方向に二等分する中心軸線Ａ１よりも右側に配置されていると共に、平面視で貯水タンク２０を前後方向に二等分する中心軸線Ａ２よりも後方側に片寄って配置されている。
また、図５に示すように、スロート管４０は、貯水タンク２０内において、平面視で貯水タンク２０を左右方向に二等分する中心軸線Ａ１よりも右側に配置されていると共に、平面視で貯水タンク２０を前後方向に二等分する中心軸線Ａ２よりも前方側に片寄って配置されている。
【００２４】
つぎに、図９は、本発明の一実施形態による水洗大便器装置において洗浄水タンク装置を便器本体の後方側の所定の設置位置に上方側から組み付けられる前の状態を示す概略中央側面断面図である。
ここで、本発明の一実施形態による水洗大便器装置１の洗浄水タンク装置４を便器本体２の所定の設置位置に設置する方法の詳細については、図１３Ａ〜図１３Ｄを用いて後述するが、図２及び図９に示すように、貯水タンク２０が便器本体２の後方側の所定の設置スペースＳ１内に上方側から組み付けられる前の状態では、便器本体側接続部であるスパッド５０、伸縮可能な接続管部材５２、及びタンク側接続部５６のそれぞれは、作業者のアクセスが可能なものである。
すなわち、図２及び図９に示すように、伸縮可能な接続管部材５２については、貯水タンク２０が便器本体２の後方側の所定の設置位置に上方側から組み付けられる前の状態で、予め接続管部材５２の一端（前端部）が、便器本体２の導水路１４の流入口１４ａに水密に接続されたスパッド５０の他端（後端部）に対してバンド５４ａを介して水密に接続可能なものであると共に、予め接続管部材５２の他端（上端部）がタンク側接続部５６の一端（下端部）に対してバンド５４ｂを水密に接続可能なものである。
これにより、図２及び図９に示すように、スパッド５０及びタンク側接続部５６は、互いに接続管部材５２を介して水密に接続された後に、貯水タンク２０を所定の設置位置に上方側から組み付け可能にするものとなっている。
また、図８に示すように、貯水タンク２０が所定の設置位置に上方側から組み付けられた状態では、スパッド５０と接続管部材５２との接続部、及び接続管部材５２とタンク側接続部５６との接続部のそれぞれは、各バンド５４ａ，５４ｂによって水密性が維持されていると共に、それぞれの周囲が作業者の直接的なアクセスが不能に便器本体２及び貯水タンク２０によって覆われている
【００２５】
つぎに、図８及び図９に示すように、伸縮可能な接続管部材５２は、具体的には、軸方向に伸縮自在で全長が調整可能な蛇腹状のホース部材である。
なお、本実施形態では、伸縮可能な接続管部材５２として、それ自体が圧縮コイルばね又は引張コイルばねのようなばね要素等の弾性部材からなる形態について説明するが、このような弾性部材が、蛇腹状のホース部材である接続管部材５２とは別部材として設けられているものでもよく、要するに、接続管部材５２がスパッド５０とタンク側接続部５６との間に接続された状態で、接続管部材５２の全長が適宜調整可能なものであればよい。
これにより、接続管部材５２は、図９に示すように、貯水タンク２０が所定の設置位置に組み付けられる前の状態で接続管部材５２の接続管路５２ａの長さ（全長）については、第１の所定長さである短縮時の長さｄ１よりも長い第２の所定長さである伸長時の長さｄ２でスパッド５０とタンク側接続部５６とが水密に接続されるようになっている。その後、接続管部材５２は、図８に示すように、貯水タンク２０が便器本体２の後方側の所定の設置スペースＳ１に組み付けられた状態では、接続管路５２ａの長さが第１の長さである短縮時の長さｄ１でスパッド５０とタンク側接続部５６とが水密に接続されるように、接続管部材５２及びその接続管路５２ａが縮むことができるようになっている。
なお、本実施形態では、接続管部材５２の接続管路５２ａの第１の所定長さである短縮時の長さｄ１については、接続管部材５２が長手方向に最大に縮んだ状態の最短長さに設定されてもよいし、最短長さよりも長くても伸長時の長さｄ２よりも短い長さに設定されていればよい。
【００２６】
さらに、図７及び図８に示すように、貯水タンク２０は、タンク側接続部５６の下方に湾曲状に形成されたガイド部６１を備えている。このガイド部６１は、貯水タンク２０が便器本体２の後方側の所定の設置位置に組み付けられた状態において、接続管部材５２の接続管路５２ａの長さが短縮時の長さｄ１でスパッド５０とタンク側接続部５６とが水密に接続可能に、接続管部材５２がその上端部から前端部まで屈曲した所定の形状にガイドするためのものである。
ここで、図８に示すように、本実施形態では、第１の所定長さである短縮時の長さｄ１の接続管部材５２の所定の形状については、接続管路５２ａの中心軸線Ａ３の曲がり部Ｒ１が１つである形態について説明するが、曲がり部Ｒ１がない形態であってもよい。
なお、本実施形態では、貯水タンク２０のガイド部６１は、貯水タンク２０に対して一体に形成された形態について説明するが、貯水タンク２０とは別部材であるガイド部材を採用してもよい。
また、本実施形態では、上述したように、伸縮可能な接続管部材５２自体が圧縮コイルばね又は引張コイルばねのようなばね要素等の弾性部材からなる形態であるため、この接続部材５２自体が所定の形状にガイドするガイド機能を有するものであるが、これ以外にも、接続管部材５２を所定の形状にガイドするためのガイド部として、接続管部材５２の一部に別途のガイド機構やばね機構を設けてもよい。
【００２７】
つぎに、図３、図４及び図８に示すように、便器本体２の後方側における貯水タンク２０が設置される設置スペースＳ１の底面６２には、ガイド部６１の下側面６１ａ付近まで上方に柱状に延びる陶器製の力分散部６４が一体に形成されている。
この力分散部６４は、貯水タンク２０が所定の設置位置に上方側から組み付けられた状態で段部５８の上端部５８ｂの操作領域面Ｆ１が下方に押し込まれた際に、便器本体側接続部である接続管部材５２の屈曲部の下側を支持するガイド部６１について、便器本体２側で支持可能に設けられており、タンク側接続部５６から接続管部材５２を介してガイド部６１に作用する押し込み力が分散可能となっている。
なお、本実施形態では、力分散部６４が便器本体２に一体に形成された形態について説明するが、ガイド部６１に一体に形成された形態であってもよいし、力分散部６４が便器本体２や接続管部材５２とは別体である力分散部材の形態であってもよい。
【００２８】
つぎに、図１０は、本発明の一実施形態による水洗大便器装置の背面図である。
図１０に示すように、本実施形態の水洗大便器装置１は、洗浄水タンク装置４の貯水タンク２０が所定の設置スペースＳ１に設置された状態で、貯水タンク２０の背面側且つ左右両側の基底部２０ｃについて、貯水タンク２０の姿勢が水平状態に維持されるように便器本体２に固定する固定部である一対の固定装置６６を備えている。
【００２９】
図１１は、図１０に示す本発明の一実施形態による水洗大便器装置における洗浄水タンク装置の貯水タンクを便器本体に固定する固定装置を拡大した概略斜視図であり、図１２は、本発明の一実施形態による水洗大便器装置における洗浄水タンク装置の貯水タンクを便器本体に固定する固定装置の概略図である。
図１１及び図１２に示すように、固定装置６６は、便器本体２の後方側の貯水タンク２０の設置スペースＳ１の底面６２の取付穴６２ａに挿入されて取り付けられたゴムブッシュ６８と、貯水タンク２０の基底部２０ｃを上下方向に貫くタンク固定用の長穴２０ｄ内に配置されたクッション等からなる可撓性部材７０と、ゴムブッシュ６８に可撓性部材７０を介して取り付けられたボルト７２と、このボルト７２に取り付けられると共にその下面が貯水タンク２０の底面２０ｂと接触可能である座金７４と、ボルト７２に取り付けられると共にその下面が座金７４の上面に接触可能であるばね座金７６とを備えている。
また、ボルト７２の頭部（上端部）には、その下面がばね座金７６の上面に接触可能であるボルト操作部７８が径方向外側に突出するように一体に形成されている。
さらに、ゴムブッシュ６８は、ボルト７２の下方部分が螺合されるナットとして機能するようにもなっている。
そして、これらの要素６８，７０，７２，７４，７６，７８は、貯水タンク２０の姿勢を水平状態に調整可能な水平調整部として機能するようになっている。
なお、本実施形態では、ゴムブッシュ６８と可撓性部材７０とが互いに別部材である形態について説明するが、両者６８，７０が互いに一体に形成された部材であってもよい。
【００３０】
より具体的に説明すると、図１０〜図１２に示すように、固定装置６６は、貯水タンク２０が便器本体２の後方側の所定の設置位置に組み付けられた後、ボルト操作部７８は締め付け操作が可能な操作部として機能するようになっており、このボルト操作部７８の締め付け具合に応じて、可撓性部材７０が軸方向に圧縮されるときの弾性変形量が調整可能となるため、貯水タンク２０の便器本体２に対する高さ位置を調整することができるようになっている。
したがって、貯水タンク２０が便器本体２の後方側の所定の設置位置に組み付けられた後、固定装置６６により便器本体２に固定された状態で、例えば、貯水タンク２０の高さ位置を微調整したり、貯水タンク２０の姿勢を水平状態に微調整したりする必要等が生じた場合には、貯水タンク２０を便器本体２の後方側の所定の設置位置から取り外すことなく、ボルト操作部７８の締め付け具合を操作して可撓性部材７０の変形具合や、便器本体２と貯水タンク２０との固定装置６６による締結具合を調整するだけで、簡単に貯水タンク２０の高さ位置を微調整したり、簡単に貯水タンク２０の姿勢を水平状態に微調整したりすることができるようになっている。
なお、本実施形態では、固定装置６６が可撓性部材７０を備えた形態について説明するが、可撓性部材７０については省略した形態であってもよい。
【００３１】
また、図１２に示すように、本実施形態では、貯水タンク２０の基底部２０ｃにおけるタンク固定用の長穴２０ｄの大きさが、ボルト７２や可撓性部材７０の外径よりもある程度の大きく設定された調整穴として機能しているため、貯水タンク２０の寸法誤差や陶器製の便器本体２の多少の寸法誤差があっても、貯水タンク２０を長穴２０ｄの範囲内で移動させて位置を微調整することができ、寸法誤差を吸収することができるようになっている。
【００３２】
つぎに、図１３は、本発明の一実施形態による水洗大便器装置における便器本体と貯水タンクとの接続状態を確認するときの状態を示す斜視図である。
図２及び図１３に示すように、貯水タンク２０の外側前面２０ｅには、接続状態確認手段として、水平左右方向に延びる押し込み深さ確認ラインＬ１が設けられている。
一方、便器本体２における後方側の貯水タンク２０の設置スペースＳ１の前側上縁部８０の水平左右方向に延びるラインＬ２についても、貯水タンク２０の押し込み深さ確認ラインＬ１と一致するか否かを確認するための便器本体側の確認ラインＬ２となっており、接続状態確認手段として機能している。
ここで、図１３に示す貯水タンク２０においては、貯水タンク２０が便器本体２の後方側の所定の設置スペースＳ１内に組み付けられた後、タンク蓋８２が便器本体２における後方側の貯水タンク２０の設置スペースＳ１の上端部に取り付けられる前に、押し込み深さ確認ラインＬ１が便器本体側の確認ラインＬ２と平行であり、且つ両者Ｌ１，Ｌ２の高さ位置とほぼ一致しており、貯水タンク２０が便器本体２の後方側の所定の設置位置に正しく設置されている状態となっている。
【００３３】
つぎに、図１〜図１４Ｄを参照して、本発明の一実施形態による水洗大便器装置１の洗浄水タンク装置４を便器本体２の所定の設置位置に設置する方法、及び本発明の一実施形態による水洗大便器装置１の作用について説明する。
まず、図１４Ａは、本発明の一実施形態による水洗大便器装置において洗浄水タンク装置の貯水タンクが便器本体の後方側の所定の設置位置に組み付けられていない施工開始前状態から、便器本体の導水路の流入口にスパットが水密に接続された第１の施工状態を示す概略断面図である。
つぎに、図１４Ｂは、図１４Ａに示す第１の施工状態の後、本発明の一実施形態による水洗大便器装置の洗浄水タンク装置の貯水タンクが便器本体の後方側の所定の設置位置に組み付けられる前に、スパッドに伸縮可能な接続管部材の一端が水密に接続された第２の施工状態を示す概略断面図である。
また、図１４Ｃは、図１４Ｂに示す第２の施工状態の後、本発明の一実施形態による水洗大便器装置の洗浄水タンク装置の貯水タンクが便器本体の後方側の所定の設置位置に組み付けられる前に、洗浄水タンク装置の貯水タンクのタンク側接続部に接続管部材の他端が水密に接続された第３の施工状態を示す概略断面図である。
さらに、図１４Ｄは、図１４Ｃに示す第３の施工状態の後、本発明の一実施形態による水洗大便器装置の洗浄水タンク装置の貯水タンクが便器本体の後方側の所定の設置位置に上方側から組み付けられた第４の施工状態を示す概略断面図である。
【００３４】
まず、図１４Ａに示すように、作業者は、本実施形態による水洗大便器装置１の洗浄水タンク装置４を便器本体２の後方側の所定の設置スペースＳ１内に設置する前の施工開始前状態から施工を開始し、スパッド５０を上方から設置スペースＳ１内に挿入する。そして、このスパッド５０を便器本体２の導水路１４の流入口１４ａに対して後方側から挿入することにより、スパッド５０のみを便器本体２の導水路１４の流入口１４ａに対して水密に接続した状態である第１の施工状態となる。
【００３５】
つぎに、図１４Ａに示す第１の施工状態の後、図１４Ｂに示すように、伸縮可能な接続管部材５２を上方から設置スペースＳ１内に挿入した後、この接続管部材５２の一端（前端部）について、スパッド５０に対して後方側から挿入した後、スパッド５０と接続管部材５２の前端部との接続部をバンド５４ａによって予め水密に接続する。これにより、接続管部材５２がスパッド５０に対して確実に水密に接続された第２の施工状態となり、接続管部材５２の接続管路５２ａと便器本体２の導水路１４とが連通した状態となる。
【００３６】
つぎに、図１４Ｂに示す第２の施工状態の後、所定の設定スペースＳ１の外部で洗浄水タンク装置４の給水弁装置２６やジェットポンプユニット３０等の関連部材が予め組み付けられた状態の貯水タンク２０を用意する。その後、図１４Ｃに示すように、接続管部材５２の他端（上端部）を所定の設定スペースＳ１の外部まで予め伸長させた状態にする。
そして、この伸長させた状態の接続管部材５２に対して、その上端部からタンク側接続部５６を接続管路５２ａ内に挿入し、所定の設定スペースＳ１の外部で接続管部材５２の上端部とタンク側接続部５６との接続部をバンド５４ｂによって予め水密に接続する。これにより、接続管部材５２がタンク側接続部５６に対して確実に水密に接続された第３の施工状態となり、接続管部材５２の接続管路５２ａとタンク側接続部５６のタンク側接続管路５６ａとが連通した状態となる。
【００３７】
つぎに、図１４Ｃに示す第３の施工状態の後、貯水タンク２０全体が便器本体の後方側の所定の設置スペースＳ１内に上方側から挿入され、図１４Ｄに示すように、貯水タンク２０が便器本体２の後方側の所定の設置位置に上方側から組み付けられた第４の施工状態となる。
このとき、弾性部材からなる接続管部材５２は、ガイド部６１によりガイドされつつ、弾性部材の弾性復元力により縮みながら所定の形状に戻されて、接続管部材５２の接続管路５２ａの長さを短縮時の長さｄ１に設定される。
【００３８】
つぎに、図１４Ｄに示す第４の施工状態の後、図１０〜図１２に示すように、固定装置６６によりボルト７２のボルト操作部７８の締め付け具合を調整しながら、貯水タンク２０の背面側且つ左右両側の基底部２０ｃについて、貯水タンク２０の姿勢が水平状態に維持されるように便器本体２に対して固定する。
そして、図１３に示すように、押し込み深さ確認ラインＬ１が便器本体側の確認ラインＬ２と平行であり、且つ両者Ｌ１，Ｌ２の高さ位置とほぼ一致していることを確認し、貯水タンク２０が便器本体２の後方側の所定の設置位置に正しく設置されている状態が確認できた場合には、便器本体２における後方側の貯水タンク２０の設置スペースＳ１の上端部にタンク蓋８２を取り付け、図３に示すような施工が完了した状態となる。
【００３９】
一方、貯水タンク２０が便器本体２の後方側の所定の設置位置に正しく設置されている状態が確認できない場合には、貯水タンク２０内の姿勢が水平状態になっていないおそれがあるため、貯水タンク２０を所定の設置位置から取り外すことなく、貯水タンク２０の基底部２０ｃのタンク固定用の長穴２０ｄの範囲内で貯水タンク２０の位置をずらすことにより、設定スペースＳ１内の貯水タンク２０の便器本体２に対する前後方向や左右方向の相対位置を調整したり、再度、図１０〜図１２に示すように、固定装置６６のボルト操作部７８の締め付け具合を調整しながら、ゴムブッシュ６８や可撓性部材７０の弾性変形量を調整することにより、図１３に示すように、正しい設置状態が確認できるまで、貯水タンク２０の便器本体２に対する高さ位置を調整したりする等の微調整を行う。
【００４０】
上述した本発明の一実施形態による水洗大便器装置１によれば、貯水タンク２０が便器本体２のボウル部６よりも後方側の所定の設置スペースＳ１に組み付けられた状態では、便器本体側接続部であるスパッド５０と伸縮可能な接続管部材５２との接続部、及びこの接続管部材５２とタンク側接続部５６との接続部のそれぞれの周囲が便器本体２及び貯水タンク２０によって覆われることにより作業者の直接的なアクセスが不能であっても、作業者は、貯水タンク２０を便器本体２のボウル部６よりも後方側の所定の設置スペースＳ１に組み付ける前に、予め接続管部材５２の一端（前端部）をスパッド５０の他端（後端部）に対して簡単に且つ確実に水密に接続することができると共に、予め接続管部材５２の他端（上端部）をタンク側接続部５６の一端（下端部）に対して簡単に且つ確実に水密に接続することができる。よって、その後、スパッド５０と伸縮可能な接続管部材５２との接続部、及びこの接続管部材５２とタンク側接続部５６との接続部のそれぞれについて水密性を維持しながら、貯水タンク２０を便器本体２の導水路１４の後方側の所定の設置位置に簡単に組み付けることができる。
したがって、貯水タンク２０を便器本体２に簡単に水密に接続することができる。
【００４１】
また、本実施形態による水洗大便器装置１によれば、伸縮可能な接続管部材５２について、貯水タンク２０が所定の設置スペースＳ１に組み付けられる前の状態で、接続管部材５２の接続管路５２ａの長さが第１の所定長さ（短縮時の長さｄ１）よりも長い第２の所定長さ（伸長時の長さｄ２）で便器本体側接続部（スパッド５０）とタンク側接続部５６とが水密に接続された後、貯水タンク２０が所定の設置位置に組み付けられた状態で、接続管路５２ａの長さが第１の所定長さ（短縮時の長さｄ１）で便器本体側接続部（スパッド５０）とタンク側接続部５６とが水密に接続されることにより接続管部材５２の接続管路５２ａを伸縮可能にするものである。このため、特に、貯水タンク２０が所定の設置位置に組み付けられた状態では、接続管部材５２とその接続管路５２ａの長さを簡単に第１の所定長さ（短縮時の長さｄ１）に設定することができる。よって、貯水タンク２０の下流側の第１の所定長さ（短縮時の長さｄ１）の接続管路５２ａ内を流れる洗浄水の圧力損失を小さくすることができる。
したがって、貯水タンク２０内のジェットポンプユニット３０のジェットポンプ作用による貯水タンク２０内の洗浄水の吸引量の低下を抑制することができるため、ジェットポンプ性能の低下を抑制することができる。
【００４２】
さらに、本実施形態による水洗大便器装置１によれば、貯水タンク２０が所定の設置スペースＳ１に組み付けられた状態で接続管部材５２の接続管路５２ａの長さが第１の所定長さ（短縮時の長さｄ１）で便器本体側接続部（スパッド５０）とタンク側接続部５６とが水密に接続可能に接続管部材５２を所定の形状にガイドするためのガイド部６１により、貯水タンク２０が所定の設置位置に組み付けられる前の状態で、接続管部材５２により予め便器本体側接続部（スパッド５０）とタンク側接続部５６とを簡単かつ確実に水密に接続した後、貯水タンク２０が所定の設置位置に組み付けられた状態で、接続管部材５２を所定の形状にガイドすることができると共に、接続管部材５２の接続管路５２ａを第１の所定長さ（短縮時の長さｄ１）に確実に設定することができる。
したがって、貯水タンク２０の下流側の第１の所定長さ（短縮時の長さｄ１）の接続管路５２ａ内を流れる洗浄水の圧力損失を小さくすることができ、貯水タンク２０内のジェットポンプユニット３０のジェットポンプ作用による貯水タンク２０内の洗浄水の吸引量の低下を抑制することができるため、ジェットポンプ性能の低下を抑制することができる。
【００４３】
また、本実施形態による水洗大便器装置１によれば、接続管部材５２が弾性部材からなり、水洗大便器装置１が、さらに、所定の設置位置に組み付けられた状態の貯水タンク２０の姿勢が水平状態に維持されるように貯水タンク２０を便器本体２に対して固定可能にする固定装置６６を有することにより、貯水タンク２０の姿勢が水平状態に維持された状態で貯水タンク２０を便器本体２に対して安定して固定することができる。
したがって、例えば、貯水タンク２０やタンク側接続部５６に接続管部材５２による反力が作用して貯水タンク２０が傾くと共に貯水タンク２０内の水位が傾くことによって、貯水タンク２０内のジェットポンプユニット３０のジェットポンプ作用による貯水タンク２０内の洗浄水の吸引量が低下してしまうことを抑制することができるため、ジェットポンプ性能の低下を抑制することができる。
【符号の説明】
【００４４】
１    水洗大便器装置
２    便器本体
４    洗浄水タンク装置
６    ボウル部
８    リム部
１０    排水トラップ管路
１０ａ  排水トラップ管路の入口
１４    導水路
１４ａ  導水路の流入口
１６    吐水口
１８    給水管
２０    貯水タンク（タンク）
２０ａ  貯水タンクの内側前面
２０ｂ  貯水タンクの底面
２０ｃ  貯水タンクの背面側且つ左右両側の基底部
２０ｄ  タンク固定用の長穴
２０ｅ  貯水タンクの外側前面
２２    定流量弁
２４    主弁
２６    給水弁装置
２８    真空破壊弁
３０    ジェットポンプユニット
３２    操作レバー
３４    給水管
３６    ジェットノズル
３８    流路切替弁
４０    スロート管
４０ａ  吸引口
４０ｂ  流出口
４２    便器洗浄用流路
４４    タンク貯水用流路
４６    駆動軸
４８    フロート
５０    スパッド（便器本体側接続部）
５２    伸縮可能な接続管部材（接続部材、弾性部材）
５２ａ  接続管路
５２ｂ  接続管部材の上端部
５４ａ  バンド
５４ｂ  バンド
５６    タンク側接続部
５６ａ  タンク側接続管路
５８    貯水タンクの段部
５８ａ  貯水タンクの段部の接続口
５８ｂ  貯水タンクの段部の上端部
５８ｃ  貯水タンクの段部の外側壁部
５８ｄ  貯水タンクの段部の上側壁部
６０    スロート管側接続部
６１    ガイド部
６１ａ  ガイド部の下側面
６２    便器本体の後方側の貯水タンクの設置スペースの底面
６２ａ  取付穴
６４    力分散部
６６    固定装置（固定部）
６８    ゴムブッシュ
７０    可撓性部材
７２    ボルト
７４    座金
７６    ばね座金
７８    ボルト操作部
８０    便器本体の後方側の貯水タンクの設置スペースの前側上縁部
８２    タンク蓋
Ａ１    平面視で貯水タンクを左右方向に二等分する中心軸線
Ａ２    平面視で貯水タンクを前後方向に二等分する中心軸線
Ａ３    接続管部材の接続管路の中心軸線
ＤＷＬ  最低水位（デッドウォータライン）
ｄ１    接続管路の短縮時の長さ（第１の所定長さ）
ｄ２    接続管路の伸長時の長さ（第２の所定長さ）
Ｆ１    操作領域面
Ｆ２    前側領域面
Ｌ１    貯水タンクの押し込み深さ確認ライン
Ｌ２    便器本体側の確認ライン
Ｒ１    接続管部材の接続管路の中心軸線の曲がり部
Ｓ１    便器本体の後方側の貯水タンクの設置スペース
ＷＬ０  満水水位
【図１】
0006788214.tif 000002
【図２】
0006788214.tif 000003
【図３】
0006788214.tif 000004
【図４】
0006788214.tif 000005
【図５】
0006788214.tif 000006
【図６】
0006788214.tif 000007
【図７】
0006788214.tif 000008
【図８】
0006788214.tif 000009
【図９】
0006788214.tif 000010
【図１０】
0006788214.tif 000011
【図１１】
0006788214.tif 000012
【図１２】
0006788214.tif 000013
【図１３】
0006788214.tif 000014
【図１４Ａ】
0006788214.tif 000015
【図１４Ｂ】
0006788214.tif 000016
【図１４Ｃ】
0006788214.tif 000017
【図１４Ｄ】
0006788214.tif 000018